(57)【要約】【課題】医療情報の伝達を容易とし、医療情報の伝達補助が可能な医療情報伝達システム、さらには、医療情報を掲示する表示装置を設置するに当たって、既存の医療情報システムの改変が無くあるいはごく少なくて足りる医療情報伝達システムを提供する。医療情報伝達システムへの導入が容易な医療情報掲示サブシステムを提供する。【解決手段】医療情報伝達システム１００は、ＬＡＮ３と、これに接続するホストコンピュータ１と、複数の端末装置ＴＡ等とを備える。さらに、このシステム１００で稼働する医療情報掲示サブシステム１０は、ＬＡＮ３を流れる医療情報を監視し、所定の選択基準に合致する内容の医療情報を選択する情報選択手段２０と、表示装置４０と、情報選択手段２０で選択された選択医療情報に基づいて表示装置４０に掲示医療情報を掲示させ掲示制御手段３０と、を備える。【選択図】  図１
2004280211.tif 000002
【特許請求の範囲】
【請求項１】
主コンピュータと、上記主コンピュータが接続するローカルエリアネットワークと、このローカルエリアネットワークに接続する複数の端末装置と、を備える医療情報伝達システムであって、
上記ローカルエリアネットワークを流れる医療情報を監視し、所定の選択基準に合致する内容を有する医療情報を選択する情報選択手段と、
表示装置と、
上記情報選択手段で選択された選択医療情報に基づいて、対応する上記表示装置に掲示医療情報を掲示させ、または上記表示装置での上記掲示医療情報の掲示を中止させる掲示制御手段と、を備える
医療情報伝達システム。
【請求項２】
請求項１に記載の医療情報伝達システムであって、
前記掲示制御手段は、前記ローカルエリアネットワークに接続しており、
前記情報選択手段は、
この情報選択手段で選択された前記選択医療情報の内容、上記内容の一部または上記内容に関連する内容を、上記ローカルエリアネットワークを介して、上記掲示制御手段に向けて送信する選択医療情報送信手段を含む
医療情報伝達システム。
【請求項３】
請求項１または請求項２に記載の医療情報伝達システムであって、
前記掲示制御手段は、
前記掲示医療情報の掲示及び掲示中止の少なくともいずれかを行ったことに関する掲示連絡情報を前記主コンピュータに向けて送信する掲示連絡情報送信手段を含む
医療情報伝達システム。
【請求項４】
請求項１〜請求項３のいずれか１項に記載の医療情報伝達システムであって、
前記掲示制御手段は、
前記表示装置を操作しようとしている操作希望者を特定する操作希望者特定手段と、
上記操作希望者の特定により自動的に、または特定された上記操作希望者の指示により、上記表示装置での表示形式を、通常時に表示している表示形式から、上記掲示制御手段に蓄積されている掲示医療情報のうち、上記特定された操作希望者に関連する掲示医療情報のみまたはこれを主として表示する表示形式に切り換える表示形式切換え手段と、を含む
医療情報伝達システム。
【請求項５】
請求項１〜請求項４のいずれか１項に記載の医療情報伝達システムであって、
前記掲示制御手段は、
前記掲示医療情報に対する応答医療情報を入力可能な応答医療情報入力手段と、
上記応答医療情報を、前記端末装置のうち少なくともいずれか、及び／または前記主コンピュータに向けて送信する応答医療情報送信手段を含む
医療情報伝達システム。
【請求項６】
請求項５に記載の医療情報伝達システムであって、
前記応答医療情報送信手段は、
前記応答医療情報を前記端末装置のうち少なくともこの応答医療情報に対応する前記選択医療情報を送信した端末装置に送信する
医療情報伝達システム。
【請求項７】
請求項５または請求項６に記載の医療情報伝達システムであって、
前記掲示制御手段は、
前記応答医療情報入力手段により前記応答医療情報を入力しようとする者を特定する入力者特定手段と、
予め許可された者にのみ、上記応答医療情報入力手段からの上記応答医療情報の入力を許す入力許可手段と、を含む
医療情報伝達システム。
【請求項８】
請求項１〜請求項７のいずれか１項に記載の医療情報伝達システムであって、
前記掲示制御手段は、
前記選択医療情報がこの選択医療情報の緊急度を示す情報を含んでいるとき、前記表示装置における各選択医療情報の表示形態を、その緊急度に応じて異ならせる緊急度別表示手段を含む
医療情報伝達システム。
【請求項９】
請求項１〜請求項８のいずれか１項に記載の医療情報伝達システムであって、
前記掲示制御手段は、
前記選択医療情報がこの選択医療情報の実行期限を示す情報を含んでいるとき、前記表示装置における各選択医療情報の表示形態を、その上記実行期限と現在の時刻との関係に応じて異ならせる期限別表示手段を含む
医療情報伝達システム。
【請求項１０】
主コンピュータと、この主コンピュータが接続するローカルエリアネットワークと、このローカルエリアネットワークに接続する複数の端末装置と、を備える医療情報伝達システムに用いる医療情報掲示サブシステムであって、
上記ローカルエリアネットワークを流れる医療情報を監視し、所定の選択基準に合致する内容を有する医療情報を選択する情報選択手段と、
表示装置と、
上記情報選択手段で選択された選択医療情報に基づいて、対応する上記表示装置に掲示医療情報を掲示させ、または上記表示装置での上記掲示医療情報の掲示を中止させる掲示制御手段と、を備える
医療情報掲示サブシステム。
【請求項１１】
請求項１０に記載の医療情報掲示サブシステムであって、
前記掲示制御手段は、前記ローカルエリアネットワークに接続しており、
前記情報選択手段は、
この情報選択手段で選択された前記選択医療情報の内容、上記内容の一部または上記内容に関連する内容を、上記ローカルエリアネットワークを介して、上記掲示制御手段に向けて送信する選択医療情報送信手段を含む
医療情報掲示サブシステム。
【請求項１２】
請求項１０または請求項１１に記載の医療情報掲示サブシステムであって、
前記掲示制御手段は、
前記掲示医療情報の掲示及び掲示中止の少なくともいずれかを行ったことに関する掲示連絡情報を前記主コンピュータに向けて送信する掲示連絡情報送信手段を含む
医療情報掲示サブシステム。
【請求項１３】
請求項１０〜請求項１２のいずれか１項に記載の医療情報掲示サブシステムであって、
前記掲示制御手段は、
前記表示装置を操作しようとしている操作希望者を特定する操作希望者特定手段と、
上記操作希望者の特定により自動的に、または特定された上記操作希望者の指示により、上記表示装置での表示形式を、通常時に表示している表示形式から、上記掲示制御手段に蓄積されている掲示医療情報のうち、上記特定された操作希望者に関連する掲示医療情報のみまたはこれを主として表示する表示形式に切り換える表示形式切換え手段と、を含む
医療情報掲示サブシステム。
【請求項１４】
請求項１０〜請求項１３のいずれか１項に記載の医療情報掲示サブシステムであって、
前記掲示制御手段は、
前記掲示医療情報に対する応答医療情報を入力可能な応答医療情報入力手段と、
上記応答医療情報を、前記端末装置のうち少なくともいずれか、及び／または前記主コンピュータに向けて送信する応答医療情報送信手段を含む
医療情報掲示サブシステム。
【請求項１５】
請求項１４に記載の医療情報掲示サブシステムであって、
前記応答医療情報送信手段は、
前記応答医療情報を前記端末装置のうち少なくともこの応答医療情報に対応する前記選択医療情報を送信した端末装置に送信する
医療情報掲示サブシステム。
【請求項１６】
請求項１０〜請求項１５のいずれか１項に記載の医療情報掲示サブシステムであって、
前記掲示制御手段は、
前記応答医療情報入力手段により前記応答医療情報を入力しようとする者を特定する入力者特定手段と、
予め許可された者にのみ、上記応答医療情報入力手段からの上記応答医療情報の入力を許す入力許可手段と、を含む
医療情報掲示サブシステム。
【請求項１７】
請求項１０〜請求項１６のいずれか１項に記載の医療情報掲示サブシステムであって、
前記掲示制御手段は、
前記選択医療情報がこの選択医療情報の緊急度を示す情報を含んでいるとき、前記表示装置における各選択医療情報の表示形態を、その緊急度に応じて異ならせる緊急度別表示手段を含む
医療情報掲示サブシステム。
【請求項１８】
請求項１０〜請求項１７のいずれか１項に記載の医療情報掲示サブシステムであって、
前記掲示制御手段は、
前記選択医療情報がこの選択医療情報の実行期限を示す情報を含んでいるとき、前記表示装置における各選択医療情報の表示形態を、その上記実行期限と現在の時刻との関係に応じて異ならせる期限別表示手段を含む
医療情報掲示サブシステム。
【発明の詳細な説明】
【０００１】
【発明の属する技術分野】
本発明は、病院等においてローカルエリアネットワーク（以下単にＬＡＮともいう）を用いて医療情報の伝達を行う医療情報伝達システム、及びこのような医療情報伝達システムにおいて医療情報を表示装置に掲示する医療情報掲示サブシステムに関する。
【０００２】
【従来の技術】
従来より、病院や病棟において、患者の診察結果や検査データ、医師、看護師（看護婦）、薬剤師、その他の医療従事者による医療行為の指示や確認その他の医療情報をＬＡＮによって伝達したり、データベースに蓄積したりする医療情報伝達システムが用いられている（特許文献１，２参照）。
このようなシステムにおいて、例えば、医療従事者（例えば看護師）が携帯する端末装置から主コンピュータに医療情報を送信すると、主コンピュータでは、伝達された医療情報に応じて必要な処理をする。例えば、主記憶装置の医療情報データベースに医療情報を記憶したり、他の端末装置に必要な医療情報を送信したりする。また、主コンピュータまたは医療従事者（例えば看護師）の持つ第１端末装置から他の医療従事者（例えば医師）の持つ第２端末装置への医療情報の送信を行うと、これらから送信された医療情報を第２端末装置で表示させることで、他の医療従事者が情報伝達（例えば特定の患者の診察依頼）を受けることができる。必要な場合には、さらに第２端末装置から、第１端末装置あるいは他の端末装置や主コンピュータに対して、指示や回答など送信された医療情報に応答する医療情報を送信することもできる。
【０００３】
【特許文献１】
特開平１１−２４２７０２号公報（第２〜１１頁、図１，２）
【特許文献２】
特開平１０−１１５１６号公報（第２〜４頁、図１）
【０００４】
【発明が解決しようとする課題】
しかし、このようにして第１端末装置から送信された医療情報、またはそれに対応して主コンピュータから第２端末装置に送信された医療情報は、第２端末装置または主コンピュータから送信を受けた他の端末装置でしか見ることが出来ず、第１端末装置を操作した送信者以外の医療従事者（例えば医師や看護師）全員が見うるようにはならない。つまり、第２端末装置等を操作し閲覧可能な者以外には、これらの医療情報を見ることは難しい。このため、第１端末装置から送信された医療情報（またはそれに関連する医療情報）を受け取るべき医師等の医療従事者が、端末装置を用いて医療情報をチェックしない限り、当人に伝わらないことになる。特に、端末装置を用いて頻繁に自己宛の医療情報をチェックしない医療従事者には医療情報が伝わりにくいため、このようなシステム運用の弱点となっている。
【０００５】
これに対し、例えば、医師と看護師、医師同士、看護師同士相互の連絡のため、例えばナースセンターに、ホワイトボードなどからなる伝言板（掲示板）を設置し、必要事項を書き入れると共に、不要となった場合にはこれを消去するようにする連絡手段を設ける場合がある。このようにすると、連絡事項を伝えたい当人（名宛人）のみならず、他の医療従事者にも連絡事項の存在や内容が判る。このため、例えば、名宛人（Ａ医師）に対し、「Ａ先生に対する連絡事項が掲示板に書いてありましたよ」というような具合に、これに気づいた看護師など他の医療従事者が声を掛けることにより、連絡の伝達補助が可能となる。
しかしながら、このような掲示板を用いる場合、情報発信者が、端末装置から連絡事項を入力する以外に、掲示板に記入するという作業を要し、しかも、掲示板のある場所まで移動しなければならない。あるいは、後で連絡事項を掲示板に書き入れようと考えていたが忘れてしまう場合などもある。
【０００６】
本発明は、かかる問題点に鑑みてなされたものであって、医療情報の伝達を容易とし、医療情報の伝達補助が可能な医療情報伝達システム、さらには、医療情報を掲示する表示装置を設置するに当たって、既存の医療情報システムの改変が無くあるいはごく少なくて足りる医療情報伝達システムを提供することを目的とする。また、医療情報伝達システムへの導入が容易な医療情報掲示サブシステムを提供することを目的とする。
【０００７】
【課題を解決するための手段、作用及び効果】
そしてその解決手段は、主コンピュータと、上記主コンピュータが接続するローカルエリアネットワークと、このローカルエリアネットワークに接続する複数の端末装置と、を備える医療情報伝達システムであって、上記ローカルエリアネットワークを流れる医療情報を監視し、所定の選択基準に合致する内容を有する医療情報を選択する情報選択手段と、表示装置と、上記情報選択手段で選択された選択医療情報に基づいて、対応する上記表示装置に掲示医療情報を掲示させ、または上記表示装置での上記掲示医療情報の掲示を中止させる掲示制御手段と、を備える医療情報伝達システムである。
【０００８】
本発明の医療情報伝達システムでは、例えば連絡発信者が第１端末装置から主コンピュータまたは第２端末装置宛に医療情報を送信したり、主コンピュータは第２端末装置宛に医療情報を送信するなどにより、ＬＡＮに医療情報が流れると、これを監視する情報選択手段が、医療情報が所定の内容を有する場合にはこれを選択する。そして、掲示制御手段が、選択医療情報に基づく掲示医療情報を表示装置に掲示させ、または掲示医療情報の掲示を中止させる。このため、連絡発信者が発信する場合には、第１端末装置に医療情報を入力して送信するだけで、表示装置に掲示医療情報が掲示され、あるいは掲示が中止される。このため、連絡発信者が掲示板のある場所へ移動して記入あるいは消去することが不要となる上、記入忘れや消し忘れも無くなる。また、連絡事項を伝えたい当人（名宛人）はわざわざ端末装置から自己宛の医療情報を取り出さなくとも、表示装置によって医療情報の有無を確認できる。しかも、連絡事項を伝えたい当人（名宛人）のみならず、他の医療従事者にも伝達したい医療情報が容易に判る。このため、前述のように他の医療従事者による連絡事項の伝達補助も可能となり、医療情報の伝達がより確実に行える。
【０００９】
ところで、同様に表示装置を用いる医療情報伝達システムとして、一旦、主コンピュータに医療情報を集め、主コンピュータによって必要な医療情報を選択し、掲示制御手段に向けて掲示医療情報として送信し、表示装置に掲示医療情報を掲示させまたは掲示を中止させるというような構成のシステムも考えられる。
しかしながら、このようなシステムでは、表示装置及び掲示制御手段を設置、追加あるいは撤去するに際して、掲示制御手段のアドレスを主コンピュータに記憶させたり、どの医療情報を送信するかの判断プログラムを主コンピュータに追加するなど、主コンピュータにおけるプログラムを改変する必要が生じる。
これに対し、本発明の医療情報伝達システムでは、主コンピュータの動作とは関係なく、情報選択手段と掲示制御手段とが自律的に機能し、情報選択手段でＬＡＮを流れる医療情報を監視し、掲示制御手段で選択医療情報に基づく掲示医療情報を表示装置に掲示させまたは掲示を中止させる。このため、情報選択手段、表示装置及び掲示制御装置を設置、追加あるいは撤去するに当たって、主コンピュータにおけるプログラムを改変する必要が無い、あるいはごく小規模の改変で足りる。このため、既に医療情報伝達システムが稼働している医療機関に、新たに表示装置を設置しようとする場合にも、容易に導入することができ導入経費も抑制することができる。また、情報選択手段や掲示制御手段に関するサブシステムのプログラムを、医療情報伝達システムとは別途に設計できるなど、医療情報伝達システムにおけるシステム設計の自由度も高くできる。
【００１０】
なお、本明細書における医療従事者には、医者、看護師（看護婦）、薬剤師、その他、その医療機関や病棟などにおいて、医療に関連する業務を行う者が含まれる。
また、医療情報とは、患者のバイタルデータや投薬状況、容態、診察や検査やリハビリテーションなどに関する内容やスケジュール、その他、患者に関するデータや、患者に対する投薬指示、診察指示などの各種の指示、その他患者に関し、医療従事者（例えば医師）から他の医療従事者（例えば看護師）への連絡事項や指示事項、確認事項、完了報告など、その病院や病棟における医療に関する情報をいう。
さらに、医療情報は、ＬＡＮを用いて送信するにあたり、例えば、患者名に対応した患者コード、医療従事者に対応した従業者コード、薬品名に対応した薬品コードなどにように、定型的な内容は特定のコードに置き換えた状態で送信することもできる。また、医療情報をパケットに分割して送信するなど、通信に適した形態に変換することもできる。
【００１１】
さらに、掲示医療情報の内容は、表示装置に掲示されて第三者にも閲覧可能されること、表示装置で表示できる掲示文字数の制限等を考慮して、選択された医療情報のうちから適宜選択すればよい。例えば、送信され選択された医療情報が、看護師から主治医に対して、特定の患者に関する投薬指示を依頼する内容である場合、掲示医療情報の内容としては、依頼日時、緊急度、名宛人である主治医の名前、送信者である看護師の名前、患者名、依頼内容などが挙げられる。
さらに、掲示制御手段は、表示装置で多くの掲示医療情報を見得るようにするため、表示装置の画面スクロールやページ切換えを可能としたり、主治医の名前など限定された情報を示しておき、例えば特定の主治医を選択すると、この主治医に関連する掲示医療情報の詳細が表示されるように指示入力を可能にしておくこともできる。
【００１２】
また、表示装置は、選択医療情報に基づく掲示医療情報を表示できる表示画面を有している装置であれば、いずれのものでも用いることができ、掲示する場所等を考慮して、その寸法や表示可能範囲等を決定すればよい。従って、医療情報を掲示できる液晶ディスプレイ装置、ＰＤＰ、その他のディスプレイ装置を用いることができる。表示装置の設置場所としては、ナースセンターや医師の待機場所、薬剤室、病室、患者のベッドサイドなどが挙げられる。
さらに、端末装置は、ＬＡＮに接続して医療情報を送信、または送信及び受信が可能な装置であればよい。具体的には、マウスやタッチパネルなどのポインティングデバイスやキーボードなど入力装置とディスプレイを備えて据え置きで用い医療情報を送受信可能なデスクトップタイプのコンピュータのほか、ノートパソコン、ＰＤＡ、タブレットＰＣなど看護師、医師等の医療従事者が携帯でき医療情報を送受信可能なコンピュータなどが挙げられる。また、点滴装置、心電計、人工心肺装置その他の医療装置に接続あるいは組み込んで、患者あるいは装置の状態をＬＡＮに送信する端末装置も含まれる。
また、掲示医療情報の掲示を中止する場合としては、その後の状況が変化して、該当する医療情報を掲示しておく必要が無くなった場合が挙げられる。例えば、掲示医療情報を確認した旨、あるいは対応する行動をとった旨が端末装置から入力された場合や、患者の容態等が変化し、先に送信された医療情報が取り消されたり、新たな医療情報に更新された場合などがある。
【００１３】
さらに、医療情報伝達システムであって、前記掲示制御手段は、前記ローカルエリアネットワークに接続しており、前記情報選択手段は、この情報選択手段で選択された前記選択医療情報の内容、上記内容の一部または上記内容に関連する内容を、上記ローカルエリアネットワークを介して、上記掲示制御手段に向けて送信する選択医療情報送信手段を含む医療情報伝達システムとすると良い。
【００１４】
本発明の医療情報伝達システムでは、掲示制御手段はＬＡＮに接続し、情報選択手段は選択医療情報送信手段を含む。このため、掲示制御手段と情報選択手段とは、ＬＡＮ上において離れた位置に配置されていても機能することができる。従って、情報選択手段を、例えば主コンピュータがＬＡＮに接続する部分に配置するなど、ＬＡＮにおけるネットワークの形態に応じて、ＬＡＮを流れる医療情報を監視し選択するのに適切な位置に配置する。その一方、掲示制御手段およびこれで表示制御される表示装置はナースセンターや医師の待機場所など所望の場所に配置することができるようになり、表示装置などの配置の自由度が高くなる。
【００１５】
なお、選択医療情報の内容の一部とは、例えば、選択医療情報のうちから、表示装置で掲示させるのに不要な情報を除いたものが挙げられる。このように不要な情報を除くことでＬＡＮを流れる情報のトラフィックを軽減することができる。
また選択医療情報の内容に関連する内容としては、例えば、選択医療情報の内容から必然的に生じ、掲示に適する内容を持つ医療情報が挙げられる。
【００１６】
さらに上記医療情報伝達システムであって、複数の前記表示装置と、上記複数の表示装置にそれぞれ対応する複数の前記掲示制御手段を備え、前記情報選択手段は、互いに異なる２つ以上の前記選択基準によって前記選択医療情報を選択し、前記選択医療情報送信手段は、上記複数の掲示制御手段のうち少なくとも２つの掲示制御手段に対して、互いに異なる選択基準によって選択した別の選択医療情報を送信し、上記少なくとも２つの掲示制御手段はそれぞれ対応する上記表示装置に送信された上記選択医療情報に基づく掲示医療情報を掲示させる医療情報伝達システムとするのが好ましい。
このようにすると、少なくとも２つの掲示制御手段でそれぞれ表示制御される表示装置において、例えば、Ａ看護師用表示装置とＢ看護師用表示装置、あるいは医師用表示装置と看護師用表示装置、伝達用表示装置と作業指示用表示装置というように、名宛人や内容が異なる掲示医療情報を分けて掲示することができる。これにより、各人に、より適切に掲示医療情報を伝えられる。
【００１７】
さらに、上記いずれかに記載の医療情報伝達システムであって、前記掲示制御手段は、前記掲示医療情報の掲示及び掲示中止の少なくともいずれかを行ったことに関する掲示連絡情報を前記主コンピュータに向けて送信する掲示連絡情報送信手段を含む医療情報伝達システムとすると良い。
【００１８】
本発明の医療情報伝達システムでは、掲示制御手段は掲示連絡情報送信手段を含むので、掲示制御手段が表示装置に掲示医療情報を掲示させたことあるいは掲示を中止させたことを、主コンピュータで検知することができる。従って、主コンピュータでは、この掲示連絡情報に基づき、表示装置に掲示医療情報を掲示したことを、患者毎に作成される診療記録などの医療情報データベースに記録したり、所定の処理を施したりすることができる。
またこのようにすることで、ホワイトボード等の掲示板では困難であった、掲示内容、掲示者（連絡発信者）、掲示開始時刻、被連絡者、消去時刻、消去者などの記録を、必要に応じて残すことができる。
【００１９】
なお、掲示連絡情報とは、掲示医療情報を表示装置に掲示または掲示中止させたことに伴い、主コンピュータに連絡される情報を指す。具体的には、例えば、掲示した掲示医療情報そのものや、掲示医療情報に対応する選択医療情報を送信した端末装置またはその送信者、掲示医療情報の名宛人、選択医療情報で特定されている患者、掲示日時、表示装置（掲示制御手段）が複数ある場合にはこれを特定するためのコード等が挙げられる。掲示中止に関する掲示連絡情報としては、掲示中止日時、中止原因などが挙げられる。また、これらの情報については、その内容に対応して予め決められたコード、記号などに変換しこれを掲示連絡情報とすることもできる。
【００２０】
さらに、上記いずれか１項に記載の医療情報伝達システムであって、前記掲示制御手段は、前記表示装置を操作しようとしている操作希望者を特定する操作希望者特定手段と、上記操作希望者の特定により自動的に、または特定された上記操作希望者の指示により、上記表示装置での表示形式を、通常時に表示している表示形式から、上記掲示制御手段に蓄積されている掲示医療情報のうち、上記特定された操作希望者に関連する掲示医療情報のみまたはこれを主として表示する表示形式に切り換える表示形式切換え手段と、を含む医療情報伝達システムとすると良い。
【００２１】
表示装置に掲示されている掲示医療情報が多くなると、各人が自分に関する掲示医療情報を確認しづらくなる。また、表示装置の表示画面に掲示できる情報量には限度があるので、掲示医療情報が多くなると、一部しか掲示できなくなる場合も考えられる。
これに対し本発明では、操作希望者特定手段で操作希望者を特定した場合には、自動的にあるいはその指示により、その操作希望者に関する掲示医療情報のみ、あるいはこれを主とする表示に切り換える。これによって、操作希望者は自分に関連する掲示医療情報を表示装置上で容易にチェックすることができるようになる。
なお、操作希望者特定手段としては、医療従事者各人に割り当てられたＩＤコードやパスワードを入力させて操作希望者を特定するもののほか、操作希望者の指紋、掌紋、網膜パターン、声紋、手の血管パターン、ＩＤカードその他による本人確認の手段によって操作希望者を特定するもの、これらの組み合わせなどが挙げられる。
【００２２】
さらに、上記いずれか１項に記載の医療情報伝達システムであって、前記掲示制御手段は、前記掲示医療情報に対する応答医療情報を入力可能な応答医療情報入力手段と、上記応答医療情報を、前記端末装置のうち少なくともいずれか、及び／または前記主コンピュータに向けて送信する応答医療情報送信手段を含む医療情報伝達システムとすると良い。
【００２３】
本発明の医療情報伝達システムでは、掲示制御手段が応答医療情報入力手段と応答医療情報送信手段を含む。このため、表示装置で掲示医療情報を見た医療従事者は、その場で応答医療情報入力手段によって応答医療情報を入力すれば、この応答医療情報を主コンピュータまたは必要な端末装置に送信することができる。
【００２４】
なお、情報入力手段としては、マウスやトラックボール、タッチパネルなどのポインティングデバイスやキーボード、音声入力装置などが挙げられる。
また、応答医療情報は、掲示医療情報に対応して作成される、掲示医療情報の示す内容に応答した内容を有する医療情報をいう。例えば、掲示医療情報の内容が指示や要求である場合、これに対する完了報告、確認報告、回答などが挙げられる。具体的には、看護師から医師への特定患者の診察要求が掲示医療情報であった場合、これに対して入力される診察完了報告や投薬指示などが応答医療情報に該当する。また、医師から看護師に対する投薬指示が掲示医療情報であった場合、これに対して入力される看護師から薬剤師に対する処方要求や医師に対する投薬完了報告などが応答医療情報に該当する。
【００２５】
さらに、応答医療情報が入力された場合には、通常の場合、対応する掲示医療情報を継続して掲示しておく必要性は乏しいと考えられる。従って、応答医療情報が入力された掲示医療情報については、その表示を中止する、具体的には、他の掲示医療情報を掲示するようにすると良い。
また、後日の再確認等のため、一旦表示装置に掲示された掲示医療情報や入力した応答医療情報を掲示制御手段に設けた記憶装置に記憶しておくようにすると良い。
【００２６】
さらに、請求項５に記載の医療情報伝達システムであって、前記応答医療情報送信手段は、前記応答医療情報を前記端末装置のうち少なくともこの応答医療情報に対応する前記選択医療情報を送信した端末装置に送信する医療情報伝達システムとすると良い。
【００２７】
本発明の医療情報伝達システムによれば、自分に宛てて送信された医療情報を見た医療従事者（例えば医師）が、掲示医療情報に対する応答医療情報を掲示制御手段の応答医療情報入力手段を用いて入力すると、この応答医療情報が、これの基礎となった選択医療情報を送信した端末装置宛に送信される。このため、この端末装置を用いて医療情報を発信した連絡発信者である医療従事者（例えば看護師）が、連絡相手に医療情報が伝わったことや連絡相手が要求した行動あるいはそれ以外の行動を起こしたことなどを確認することができる。このように、掲示板を用いた場合では確認できなかったことが確認できるようになる。
【００２８】
さらに請求項５または請求項６いずれかに記載の医療情報伝達システムであって、前記掲示制御手段は、前記応答医療情報入力手段により前記応答医療情報を入力しようとする者を特定する入力者特定手段と、予め許可された者にのみ、上記応答医療情報入力手段からの上記応答医療情報の入力を許す入力許可手段と、を含む医療情報伝達システムとすると良い。
【００２９】
本発明の医療情報伝達システムでは、掲示制御手段は入力者特定手段と入力許可手段とを含んでおり、入力者が誰であるかを特定し、予め許可された者にのみ、応答医療情報入力手段を用いた応答医療情報の入力を許可する。これにより、部外者あるいは各掲示医療情報に関する当事者以外の者の入力操作によって、故意にあるいは誤って、応答医療情報が作成されることが防止される。
なお、入力者特定手段としては、応答医療情報の入力に先立って、各人に割り当てられたＩＤコードやパスワードを入力させて判断するもののほか、入力者の指紋、掌紋、網膜パターン、声紋、手の血管パターン、ＩＤカードその他による本人確認の手段によって入力者を特定するもの、これらの組み合わせなどが挙げられる。
また、予め入力を許可される者としては、掲示制御手段（表示装置）の設置場所、医療機関の権限配分、掲示医療情報の内容その他によって予め適宜決定しておけばよい。例えば、掲示医療情報の名宛人、名宛人から許可された者（代理入力者）、掲示制御手段や表示装置の管理者などが挙げられる。
【００３０】
さらに、上記いずれか１項に記載の医療情報伝達システムであって、前記掲示制御手段は、前記選択医療情報がこの選択医療情報の緊急度を示す情報を含んでいるとき、前記表示装置における各選択医療情報の表示形態を、その緊急度に応じて異ならせる緊急度別表示手段を含む医療情報伝達システムとすると良い。
【００３１】
一般に端末装置から送信される医療情報、従ってこれから選択される選択医療情報には、緊急度の異なるものが混在している。本発明の医療情報伝達システムでは、これらを表示装置に表示させるに当たり、緊急度に応じて表示形態を異ならせることで、緊急度の高い掲示医療情報を見逃すなどの伝達ミスをより確実に防止することができる。
なお、緊急度に応じた表示形態としては、緊急度の高い医療情報については、文字の大きさ、色、字体などを異ならせる、文字を点滅させる、警告表示を行う、所定位置（例えば最上位）に掲示するなどが挙げられる。
また、緊急度に応じて所定の警告音、警告音声メッセージを流す警告音発生手段を別途設けることもできる。
【００３２】
さらに、上記いずれか１項に記載の医療情報伝達システムであって、前記掲示制御手段は、前記選択医療情報がこの選択医療情報の実行期限を示す情報を含んでいるとき、前記表示装置における各選択医療情報の表示形態を、その上記実行期限と現在の時刻との関係に応じて異ならせる期限別表示手段を含む医療情報伝達システムとすると良い。
【００３３】
端末装置から送信される医療情報、従って選択医療情報には、実行期限が特定されているまたは重要である医療情報とそうでない医療情報とが混在している場合が多い。本発明の医療情報伝達システムは、期限別表示手段を備えるから、掲示医療情報を表示装置に掲示するに当たり、実行期限が有るものについては、期限前と期限経過後、あるいは期限まで余裕があるときと期限直前など、実行期限と現在の時刻との関係に応じて表示形態を異ならせることができる。このため、実行期限が経過している情報や実行期限が迫っている情報について、適切に注意を促すことができる。
なお、表示形態を異ならせるための具体的な表示手法としては、例えば、期限経過後の医療情報については、文字の大きさ、色、字体などを異ならせる、文字を点滅させる、警告表示を行う、掲示位置を所定位置（例えば最上位）に移動するなどが挙げられる。
また、実行期限が差し迫ったり期限を徒過した場合に、警告音、警告メッセージ音声を流す警告音発生手段を別途設けることもできる。
【００３４】
上記いずれか１項に記載の医療情報伝達システムであって、前記掲示制御手段は、患者のベッド近傍または病室内に配置され、前記情報選択手段は、当該患者に関する内容を有する医療情報を選択する医療情報伝達システムとするのが好ましい。
このシステムによれば、患者が看護師や医師に伝えた内容が、他の医師や看護師に適切に伝えられているか否か、問い合わせなどに対して担当医師などからの回答や指示が出ているか否か、自分の診察予定はどうであるかなど、自己に関する情報を表示装置で患者自身が確認することができる。このため、患者も安心することができる。
【００３５】
他の解決手段は、主コンピュータと、この主コンピュータが接続するローカルエリアネットワークと、このローカルエリアネットワークに接続する複数の端末装置と、を備える医療情報伝達システムに用いる医療情報掲示サブシステムであって、上記ローカルエリアネットワークを流れる医療情報を監視し、所定の選択基準に合致する内容を有する医療情報を選択する情報選択手段と、表示装置と、上記情報選択手段で選択された選択医療情報に基づいて、対応する上記表示装置に掲示医療情報を掲示させ、または上記表示装置での上記掲示医療情報の掲示を中止させる掲示制御手段と、を備える医療情報掲示サブシステムである。
【００３６】
本発明の医療情報掲示サブシステムを用いると、医療情報伝達システムにおいて、例えば、連絡発信者が第１端末装置から主コンピュータまたは第２端末装置宛に医療情報を送信することにより、ＬＡＮに医療情報が流れると、医療情報掲示サブシステムのうち、医療情報を監視する情報選択手段が、医療情報が所定の内容を有する場合にはこれを選択する。そして、掲示制御手段が、選択医療情報に基づく掲示医療情報を表示装置に掲示させる、あるいは、掲示を中止させる。このように、第１端末装置に医療情報を入力するだけで、表示装置に掲示医療情報が掲示される。このため、掲示板のある場所へ移動して記入することが不要となる上、記入忘れも無くなる。しかも、連絡事項を伝えたい当人（名宛人）のみならず、他の医療従事者にも伝達事項が判る。このため、前述のような連絡事項の伝達補助も可能となり、医療情報の伝達がより確実に行える。
【００３７】
ところで、医療情報伝達システムにおいて、主コンピュータに医療情報を一旦集め、医療情報を選択し、掲示制御手段に向けて掲示医療情報を送信し、表示装置に掲示医療情報を掲示させることも考えられる。これに対し本発明の掲示サブシステムにおける情報選択手段と掲示制御手段とは、医療情報伝達システムが稼働している主コンピュータの動作とは関係なく、自律的に機能し、情報選択手段でＬＡＮを流れる医療情報を監視し、掲示制御手段によって選択医療情報に基づく掲示医療情報を表示装置に掲示させる。このため、上述の場合に比較して、情報選択手段及び掲示制御手段を設置あるいは撤去に際して、主コンピュータで稼働している医療情報伝達システムのプログラムを改変する必要が無く、あるいはごく小規模の改変で足りる。このため、既に医療情報伝達システムが稼働している医療機関に、新たにこの掲示サブシステムを導入する場合にも、導入経費を抑制することができる。掲示サブシステムのプログラムを医療情報掲示サブシステムとは別途に設計できるなど、システム設計の自由度が高い。
【００３８】
なお、本発明の医療情報掲示サブシステムは、情報選択手段と表示装置、及び掲示制御手段とを一体とした一体型の掲示装置として実現することができる。このほか、例えば主コンピュータとＬＡＮとの間など適宜の場所に情報選択手段を配置し、これで医療情報の選択を行う一方、別途ＬＡＮに接続した掲示制御手段に向けて選択医療情報を送信し、これを表示装置に掲示させる別体型としても実現することができる。
【００３９】
さらに、上記医療情報掲示サブシステムであって、前記掲示制御手段は、前記ローカルエリアネットワークに接続しており、前記情報選択手段は、この情報選択手段で選択された前記選択医療情報の内容、上記内容の一部または上記内容に関連する内容を、上記ローカルエリアネットワークを介して、上記掲示制御手段に向けて送信する選択医療情報送信手段を含む医療情報掲示サブシステムである。
【００４０】
本発明の医療情報掲示サブシステムでは、掲示制御手段はＬＡＮに接続し、情報選択手段は選択医療情報送信手段を含むので、掲示制御手段と情報選択手段とは、ＬＡＮ上において離れた位置に配置されていても機能する。このため、情報選択手段は、例えば主コンピュータがＬＡＮに接続する部分など、ＬＡＮのネットワーク形態などに応じ、ＬＡＮを流れる医療情報を監視するのに適切な位置に配置する一方、掲示制御手段及びこれで表示制御される表示装置をナースセンターや医師の待機場所など所望の場所に配置することができるようになり、表示装置などの配置の自由度が高くなる。
【００４１】
さらに上記医療情報掲示サブシステムであって、複数の前記表示装置と、上記複数の表示装置にそれぞれ対応する複数の前記掲示制御手段を備え、前記情報選択手段は、互いに異なる２つ以上の前記選択基準によって前記選択医療情報を選択し、前記選択医療情報送信手段は、上記複数の掲示制御手段のうち少なくとも２つの掲示制御手段に対して、互いに異なる選択基準によって選択した別の選択医療情報を送信し、上記少なくとも２つの掲示制御手段はそれぞれ対応する上記表示装置に送信された上記選択医療情報に基づく掲示医療情報を掲示させする医療情報掲示サブシステムとするのが好ましい。
このような医療情報掲示サブシステムを医療情報伝達システムに用いると、少なくとも２つの掲示制御手段でそれぞれ表示制御される表示装置において、例えば、Ａ看護師用表示装置とＢ看護師用表示装置、あるいは医師用表示装置と看護師用表示装置、伝達用表示装置と作業指示用表示装置というように、名宛人や内容が異なる掲示医療情報を別々に掲示することができる。これにより、各人に、より適切に掲示医療情報を伝えることができる。
【００４２】
さらに上記いずれかに記載の医療情報掲示サブシステムであって、前記掲示制御手段は、前記掲示医療情報の掲示及び掲示中止の少なくともいずれかを行ったことに関する掲示連絡情報を前記主コンピュータに向けて送信する掲示連絡情報送信手段を含む医療情報掲示サブシステムとすると良い。
【００４３】
本発明の医療情報掲示サブシステムでは、掲示制御手段は掲示連絡情報送信手段を含むので、このサブシステムを用いた医療情報伝達システムでは、掲示制御手段が表示装置に掲示医療情報を掲示させたこと及び掲示を中止させたことを、主コンピュータで検知することができる。従って、主コンピュータでは、この掲示連絡情報に基づき、表示装置に掲示医療情報を掲示したことを患者毎に作成される診療記録などの医療情報データベースに記録したり、所定の処理を施したりすることができる。
【００４４】
さらに上記いずれか１項に記載の医療情報掲示サブシステムであって、前記掲示制御手段は、前記表示装置を操作しようとしている操作希望者を特定する操作希望者特定手段と、上記操作希望者の特定により自動的に、または特定された上記操作希望者の指示により、上記表示装置での表示形式を、通常時に表示している表示形式から、上記掲示制御手段に蓄積されている掲示医療情報のうち、上記特定された操作希望者に関連する掲示医療情報のみまたはこれを主として表示する表示形式に切り換える表示形式切換え手段と、を含む医療情報掲示サブシステムとすると良い。
【００４５】
表示装置に掲示される掲示医療情報が多くなると、各人が自分に関する掲示医療情報を確認しづらくなる。また、表示装置の表示画面に掲示できる情報量には限度があるので、掲示医療情報が多くなると、一部しか掲示できなくなる場合も考えられる。
これに対し本発明では、操作希望者を特定手段で特定した場合には、自動的にあるいはその指示により、その操作希望者に関する掲示医療情報のみ、あるいはこれを主とする表示に切り換えることで、自己に関連する掲示医療情報を表示装置で容易にチェックすることができるようになる。
【００４６】
さらに上記いずれか１項に記載の医療情報掲示サブシステムであって、前記掲示制御手段は、前記掲示医療情報に対する応答医療情報を入力可能な応答医療情報入力手段と、上記応答医療情報を、前記端末装置のうち少なくともいずれか、及び／または前記主コンピュータに向けて送信する応答医療情報送信手段を含む医療情報掲示サブシステムとすると良い。
【００４７】
本発明の医療情報掲示サブシステムでは、掲示制御手段は応答医療情報入力手段と応答医療情報送信手段を含む。従って、このサブシステムを用いた医療情報伝達システムでは、表示装置で掲示医療情報を見た医療従事者は、その場で応答医療情報入力手段を用いて応答医療情報を入力し、この応答医療情報を主コンピュータまたは必要な端末装置に送信することができる。
【００４８】
さらに上記医療情報掲示サブシステムであって、前記応答医療情報を前記端末装置のうち少なくともこの応答医療情報に対応する前記選択医療情報を送信した端末装置に送信する医療情報掲示サブシステムとすると良い。
【００４９】
本発明の医療情報掲示サブシステムを用いた医療情報伝達システムでは、自分に宛てて送信された医療情報を見た医療従事者（名宛人）が、掲示医療情報に対する応答医療情報を掲示制御手段の応答医療情報入力手段を用いて入力すると、この応答医療情報が、これの基礎となった選択医療情報を送信した端末装置宛に送信される。従って、この端末装置を用いて医療情報を送信した医療従事者（連絡発信者）が、連絡相手に医療情報が伝わったことや連絡相手が要求した行動あるいはそれ以外の行動を起こしたことなどを確認できる。このように、掲示板を用いた場合では確認できなかったことが確認できるようになる。
【００５０】
さらに、上記いずれか１項に記載の医療情報掲示サブシステムであって、前記掲示制御手段は、前記応答医療情報入力手段により前記応答医療情報を入力しようとする者を特定する入力者特定手段と、予め許可された者にのみ、上記応答医療情報入力手段からの上記応答医療情報の入力を許す入力許可手段と、を含む医療情報掲示サブシステムとすると良い。
【００５１】
本発明の医療情報掲示サブシステムでは、掲示制御手段は入力者特定手段と入力許可手段とを含んでおり、入力者が誰であるかを特定し、予め許可された者にのみ、応答医療情報入力手段を用いて応答医療情報の入力するのを許可する。これにより、部外者あるいは各掲示医療情報に関する当事者以外の者の入力操作によって、故意にあるいは誤って、応答医療情報が作成されることが防止される。
【００５２】
上記いずれか１項に記載の医療情報掲示サブシステムであって、前記掲示制御手段は、前記選択医療情報がこの選択医療情報の緊急度を示す情報を含んでいるとき、前記表示装置における各選択医療情報の表示形態を、その緊急度に応じて異ならせる緊急度別表示手段を含む医療情報掲示サブシステムとすると良い。
【００５３】
一般に、端末装置から送信される医療情報、従って選択医療情報には、緊急度の異なる医療情報が混在している。本発明の医療情報掲示サブシステムは、緊急度別表示手段を備えるため、医療情報を表示装置に掲示させるに当たり、緊急度に応じて表示形態を異ならせることができる。このため、緊急度の高い掲示医療情報を見逃すなどの伝達ミスをより確実に防止することができる。
【００５４】
上記いずれか１項に記載の医療情報掲示サブシステムであって、前記掲示制御手段は、前記選択医療情報がこの選択医療情報の実行期限を示す情報を含んでいるとき、前記表示装置における各選択医療情報の表示形態を、その上記実行期限と現在の時刻との関係に応じて異ならせる期限別表示手段を含む医療情報掲示サブシステムとすると良い。
【００５５】
端末装置から送信される医療情報、従って選択医療情報には、実行期限が特定されているまたは重要である医療情報とそうでない医療情報とが混在している。本発明の医療情報掲示サブシステムは期限別表示手段を備え、これらを表示装置に掲示するに当たり、実行期限が有るものについては、期限前と期限経過後など、実行期限と現在の時刻との関係に応じて表示形態を異ならせることができる。このため、実行期限が経過している情報などについて適切に注意を促すことができる。
【００５６】
上記いずれか１項に記載の医療情報掲示サブシステムであって、前記掲示制御手段は、患者のベッド近傍または病室内に配置され、前記情報選択手段は、当該患者に関する内容を有する医療情報を選択する医療情報掲示サブシステムとするのが好ましい。
このサブシステムによれば、患者が看護師や医師に伝えた内容が、他の医師や看護師に適切に伝えられているか否か、問い合わせなどに対して担当医師などからの回答や指示が出ているか否か、自分の診察予定はどうであるかなど、自己に関する情報を表示装置で患者自身が確認することができる。このため、患者も安心することができる。
【００５７】
【発明の実施の形態】
（実施形態１）
本発明の第１の実施形態を、図１〜図６を参照して説明する。病院等に導入された本実施形態の医療情報伝達システム（以下、単にシステムともいう）１００は、ホストコンピュータ１及び複数の端末装置ＴＡ〜ＴＥが、それぞれＬＡＮ３に接続されたシステムである。このシステム１００では、必要な医療情報を、例えば、端末装置からホストコンピュータ１に、ホストコンピュータ１から端末装置に、あるいは端末装置同士で互いに通信しあって伝達するシステムである。さらに、ホストコンピュータ１には、医療情報データベース２が接続されており、種々の医療情報が記憶格納されている。
【００５８】
端末装置ＴＡ〜ＴＥは、医療従事者である医者や看護師等にそれぞれ割り当てられておいる。例えば、端末装置ＴＡはＢ医師の、端末装置ＴＥはａ看護師の、端末装置ＴＤはｃ看護師の専用端末となっているとする。ここで、ａ看護師がその受け持ちの患者××さんについてＢ医師に要望がある場合には、端末装置ＴＥからその要望事項をＢ医師宛に入力送信すると、Ｂ医師は端末装置ＴＡによってその要望を知ることができるようになる。そこで、Ｂ医師による診察その他の行動を起こさせ、あるいはａ看護師へ宛てて要望に応答する指示や回答を返送することができるようになる。
【００５９】
しかしながら、ａ看護師が端末装置ＴＥから端末装置ＴＡに向けて医療情報（上述の場合は患者××さんに関する要望）を送信しても、Ｂ医師がこれを端末装置ＴＡを用いて確認する作業を行わない限り、医療情報を伝達できないことになる。したがって、各医療従事者が自己の端末装置を頻繁にチェックしなければ、医療情報を適切に伝達することができない。特に、自己の端末装置のチェックを面倒がる医師等の医療従事者には、必要な医療情報が伝達できず、このようなシステムの要改善点となる。
【００６０】
これに対し、本実施形態の医療情報伝達システム１００には、医療情報掲示サブシステム１０をなす掲示装置６０を備えており、例えば、ナースセンターなど医療従事者が頻繁に出入りする場所など適当な位置に、表示装置４０を設置してある。この医療情報掲示サブシステム１０は、ＬＡＮ３に流れる医療情報を情報選択手段２０によってチェックし、所定の選択基準に合致した医療情報を掲示制御手段３０によって表示装置４０で表示させるようになっている（図５参照）。
【００６１】
従って、上述のようにａ看護師が端末装置ＴＥからその要望事項をＢ医師宛に入力送信すると、Ｂ医師は端末装置ＴＡによってその要望を知ることができるようになる。これと共に、表示装置４０に、ａ看護師からＢ医師への患者××についての要望事項が表示される。従って、ナースセンターを訪れたＢ医師は表示装置４０を見ることで自己に対する要望事項を確認することができる。つまり医療情報の伝達を受けることができる。また、他の医師や看護師等も表示装置４０を見ることが出来るから、Ｂ医師に対する要望事項（医療情報）があることがわかる。このため、たとえＢ医師が表示装置４０を見ていなくとも、他の看護師等からＢ医師に対して、「Ｂ先生宛に患者××さんについての要望が来ていましたよ。」というように声を掛けることによって、医療情報伝達の補助が可能となる。従って、医療情報をより適切に伝達することができる。
【００６２】
この医療情報掲示サブシステム（以下、単にサブシステムともいう）１０について、詳細に説明する。このサブシステム１０は、ＣＰＵ１１を中心にしたコンピュータによって構成されている。具体的には、ネットワーク接続アダプタ１２、掲示医療情報データベース１３、音声発生装置１５、入力装置１６、及び入力者特定装置１７が含まれる。また、図示しないがプログラムや必要なデータを格納しておくためのＲＯＭやＲＡＭをも備えている。ＣＰＵ１１等は、後述するように、医療情報選択手段２０及び掲示制御手段３０として機能する。さらに、ＣＰＵ１１には、掲示医療情報を表示するための表示装置４０が接続されており、これらは一体とされて掲示装置６０を構成している。
この表示装置４０は、掲示医療情報を表示するディスプレイ装置であり、例えば液晶表示装置やＰＤＰなどが用いられる。なお、設置場所に応じて適切な大きさのディスプレイ装置を選択すればよいが、ナースセンターなどに設置する場合には、複数の医療従事者から容易に視認できるように、大画面のディスプレイ装置を用いるのが好ましい。
【００６３】
また、ネットワーク接続アダプタ１２は、ＬＡＮカードなどからなり、ＣＰＵ１１をＬＡＮ３に接続可能にするものである。掲示医療情報データベース１３は、表示装置４０で掲示する掲示医療情報を記憶格納する。さらに、音声発生装置１５は、緊急時あるいは実行期限を徒過した事項などについて、警告音声等を発生するためのサウンドカード、アンプ、スピーカなどを含んでいる。入力装置１６は、このサブシステム１０の調整等を行うためや、コード番号やパスワードを入力するためのほか、表示装置４０に表示させている医療情報の詳細を見るためにその表示形態を変更させたり、送信された医療情報の対応する応答医療情報をこのサブシステムを用いて作成し送信するため、必要なコードやデータを入力可能とする。具体的には、トラックボール、マウスなどのポインティングデバイスや、テンキー、矢印キー、さらに文字入力可能な文字キーなどを有するキーボードが挙げられる。さらに、入力者特定装置１７は、このサブシステム１０の操作をする入力者を特定し、予め許可された特定の者にのみ入力装置１６からの入力を許可するため、例えば、入力者の指紋、掌紋、網膜パターン、声紋等をチェックをする装置である。なお、指紋等のデータは、予めホストコンピュータ１からＬＡＮ３を通じて掲示医療情報データベース１３にダウンロードするように設定しておくと良い。
【００６４】
次いで、このサブシステム１０が存在する場合の医療情報の流れについて、図３を参照して説明する。Ｎ１において、ａ看護師が端末装置ＴＥからその要望事項（医療情報）をＢ医師宛に入力送信すると、医療情報は、Ｎ２で示すようにホストコンピュータ１に伝えられ、必要に応じて医療情報データベース２に送信（あるいは受信）日時などと共に記憶される。これと共に、Ｎ３で示すようにＢ医師の端末装置ＴＡに医療情報が送信される。
なお、端末装置ＴＥから端末装置ＴＡに直接送信することなく、端末装置ＴＥから医療情報を一旦ホストコンピュータ１に送信し、これをホストコンピュータ１で処理解析して端末装置ＴＡに送信するようにしても良い。
【００６５】
この段階ではサブシステム１０のＣＰＵ１１は、情報選択手段２０として機能し、ＬＡＮ３における医療情報を監視しているので、Ｎ４に示すように、Ｎ３で示す端末装置ＴＡへの医療情報をチェックし、これが医療情報選択基準に合致していた場合には、この選択医療情報を取り込む。さらに、サブシステム１０ＣＰＵ１１は、掲示制御手段３０として機能して、選択医療情報から表示装置４０での表示パターンＰＴ１に合致する情報、例えば、送信者（ａ看護師）、名宛人（Ｂ医師）、患者名（××）、伝達内容（「発熱あり診察して下さい」）などを選択して掲示医療情報とし、これを表示パターンＰＴ１に従って表示装置４０に表示させる。
これにより、ａ看護師の送信したＢ医師宛の医療情報（要望事項）が表示装置４０で掲示されることとなり、前述のように、Ｂ医師が直接見うる状態となるほか、他の医療従事者による伝達補助が可能となる。
しかも、このサブシステム１０では、どの医療情報を表示装置４０に掲示させるかの判断を、ホストコンピュータ１に依っていない。即ち、Ｎ３に示すように、ＬＡＮ３を流れる医療情報を監視し、その中から、その医療情報を表示装置４０に掲示させるか否かをサブシステム１０の情報選択手段２０で自律的に選択している。このため、ホストコンピュータ１に負担がかからず、このサブシステム１０をシステム１００に導入する場合にも、ホストコンピュータ１におけるすステムプログラムの改変が不要、あるいはごくわずかで済む。
【００６６】
その後、Ｎ５に示すように、サブシステム１０（掲示制御手段３０）は、ホストコンピュータ１に向けて、Ｎ４で選択した医療情報を表示装置４０で表示させた旨を送信する掲示連絡情報送信手段として機能する。これにより、ａ看護師が送信した医療情報（要望事項）を表示装置４０に表示させたことが、ホストコンピュータ１に伝えられ、必要に応じて、医療情報データベース２（具体的には、患者××のデータファイルやＢ医師あるいはａ看護師のデータファイル）に記憶することができる。
また、ホストコンピュータ１からは、Ｎ６で示すように、端末装置ＴＥに宛てて、医療情報を受信した旨の確認メッセージを送信するようにすると良い。
【００６７】
その後、Ｂ医師が自己の端末装置ＴＡを用いて医療情報を確認し応答することもあるが、本実施形態のシステム１００では、Ｎ１１に示すように、サブシステム１０を用いて、上述の医療情報（要望事項）に対する応答を入力し送信することもできる。このようにするには、まず、Ｂ医師が入力者特定装置１７に指を押し当てて指紋を読み取らせるなど、入力者特定装置１７を用いて、サブシステム１０の入力装置１６の操作希望者を特定する操作希望者特定手段として機能させる。すると、入力ボード１８を操作する者がＢ医師であることが特定されるので、サブシステム１０（掲示制御手段３０）は、表示装置４０の表示パターンを図６に示すような表示パターンＰＴ２に自動的に切換え、Ｂ医師に関連する医療情報を主として表示させる。これにより、Ｂ医師は自己に関連する医療情報を容易に確認することができる。
【００６８】
次いで、画面スクロールや改ページなどをさせるため、あるいは各医療情報への回答などをするためなど、必要に応じて、入力装置１６を操作可能とするため、掲示制御手段３０はＢ医師による入力ボード１８からの入力を許可する。これらにおいて、掲示制御手段３０は、操作希望者特定手段及び表示切換え手段、さらに入力者特定手段及び入力許可手段として機能している。
そこで、Ｂ医師は、入力装置１６を用いて、応答医療情報を作成し、これをホストコンピュータ及び連絡発信者宛に送信する。この際、掲示制御手段３０は、応答医療情報入力手段及び応答医療情報送信手段として機能している。
すると、その応答（応答医療情報）がＮ１２及びＮ１３として示すように、ホストコンピュータ１及びａ看護師の持つ端末装置ＴＥに送信される。
なお、ホストコンピュータ１や各端末装置ＴＡ等のアドレスは、予めホストコンピュータ１からＬＡＮ３を通じて掲示医療情報データベース１３にダウンロードするように設定しておくとよい。
【００６９】
このようにして、端末装置（ａ看護師）から送信された要望事項（医療情報）に対して、これを表示装置４０を用いて確認した場合、さらにはその名宛人（Ｂ医師）が応答医療情報を送信した場合には、もはや要望事項（医療情報）は名宛人に伝わっていることが明らかである。そこで、医療情報を確認した医療従事者（Ｂ医師）に関する掲示医療情報の表示装置４０での掲示を中止させると良い。具体的には、確認済の掲示医療情報に代えて、他の掲示医療情報を表示させるようにする。
なお、名宛人（Ｂ医師）が、自己の端末装置（端末装置ＴＡ）を用いて、応答する指示や回答を送信した場合には、上述と同様に、ＬＡＮ３内をその医療情報が流れるので、これを解析することにより、確認済の医療情報に対応する掲示医療情報の掲示を中止させるようにする。
【００７０】
次いで、このサブシステム１０における医療情報の処理手順を、図４を参照して説明する。まずステップＳ１において、ＬＡＮ３を流れる医療情報を取得する。
なお、ＬＡＮ３においては、各医療情報は、例えば、データにおいて、患者コードや連絡発信者のコード、名宛人のコード等が所定の順序で配置されているなど、所定の形式に加工され、さらに、パケットに分割されて送受されているのが通常であるから、各医療情報が意味のある内容となり解析可能となるように、一連のパケットを取得することは言うまでもない。
【００７１】
次いで、ステップＳ２において、取得した医療情報を解析し、掲示医療情報データベース１３に貯えてある医療情報選択基準を参照して、これに合致するか否かを判断する。具体的には、表示装置４０で掲示されるのが適切な医療情報（例えば、連絡事項や要望事項など）であるか否かを判断する。ここで、選択基準に合致しない場合には、取得した医療情報は廃棄する（ステップＳ３）。一方、選択基準に合致する場合にはステップＳ４に進み、このようにして選択された選択医療情報を掲示医療情報データベース１３に記憶する。具体的には、患者別、医師、看護師などの医療従事者別など、表示装置４０で表示させるのに都合の良いようにファイルに分けて区分し、記録するのが好ましい。
【００７２】
次いで、ステップＳ５に進み、選択医療情報から、表示装置４０に表示させるのに要する内容を表示パターンＰＴ１に応じて抽出する。具体的には、例えば、送信者（ａ看護師）、名宛人（Ｂ医師）、患者名（××）、伝達内容（「発熱あり診察して下さい」）などを選択する。
なお、患者名や医療従事者の名前などは、コード番号などに変換してデータの送受が行われていることが多い。そこで、このような場合には、掲示医療情報データベース１３に貯えてある患者名と患者コード番号との対照表や、医療従事者名とそのコード番号との対照表を用いて、コード番号を患者名や医療従事者名に置き換えるようにすると良い。また、その都度ホストコンピュータの問い合わせるようにすることもできる。
【００７３】
このようにして抽出された掲示医療情報を、ステップＳ６において、表示装置４０で表示パターンＰＴ１に従って表示させる。これにより、ＬＡＮ３を流れる医療情報のうち、サブシステム１０で自律的に選択された医療情報が、表示装置４０に掲示されることとなる。かくして、前述のように、各医療従事者が自己の端末装置にアクセスしなくとも、自己宛の医療情報を直接見うる状態となるほか、他の医療従事者による伝達補助も可能となる。
【００７４】
さらに、ステップＳ７では、医療情報を表示装置４０に掲示させたことを、ホストコンピュータ１に送信する。これにより、ホストコンピュータ１は、必要に応じて、医療情報データベース２にこれを記録することができる。
【００７５】
次いで、ステップＳ８では、既に表示装置４０に表示している掲示医療情報についてチェックし、実行期限のある掲示医療情報については、この実行期限と現在の日時とを対比する。そして、実行期限を徒過している掲示医療情報、つまり、名宛人が掲示医療情報を確認していない、あるいは実行済の旨の応答医療情報を入力していない場合などには、実行期限が過ぎていることを、表示装置４０において、例えば図５に示す図において斜体文字で示すように、その掲示医療情報ＲＲ１を点滅表示させるなどによって、注意を促すことができる。さらには、音声発生装置１５を用いて、音声によっても実行期限の徒過を知らせることもできる。
【００７６】
（変形形態１）
次いで、変形形態１にかかるシステム１００及びサブシステム１０について、図７及び図８を参照して説明する。本変形形態のシステム１００及びサブシステム１０は、上述の実施形態１と表示装置４０における表示パターンＰＴ３が異なり、選択医療情報の緊急度に応じた掲示を行う点が異なるのみであり、他は実施形態１と同じであるので、同様な部分については説明を省略し、異なる部分を中心に説明する。
【００７７】
本変形形態１にかかるサブシステム１０における医療情報の処理手順を、図７を参照して説明する。ステップＳ１からＳ４については、実施形態１と同様であるので説明を省略する。本変形形態１では、ステップＳ４において選択医療情報を記憶した後、ステップＳ９において、選択医療情報に付された緊急度を判断する。本変形形態では、選択医療情報を普通と緊急の２つのレベルに分ける。即ち、選択医療情報を解析し、その緊急度を示すデータが緊急を示している場合には、ステップＳ１１に進む。ステップＳ１１では、図８に示すように、表示装置の表示画面のうち、表示パターンＰＴ３によって決定された緊急情報表示領域ＢＲに医療情報を掲示するのに当たって、必要な情報を選択医療情報から抽出し、ステップＳ６に進む。
【００７８】
一方、ステップＳ９において、選択医療情報の緊急度が普通であると判断された場合には、ステップＳ１２に進む。ステップＳ１２では、表示パターンＰＴ３によって決定された普通情報表示領域ＡＲに医療情報を掲示するのに当たって、必要な情報を選択医療情報から抽出し、ステップＳ６に進む。
その後は、実施形態１と同じく、表示パターンＰＴ３に従って、各掲示医療情報を表示装置４０に表示させる。これにより、図８に示すように、緊急に分類されたＮｏ．００２，００３の掲示医療情報が緊急情報表示領域ＢＲに表示され、普通に分類されたＮｏ．００１，００４，００５，００６等の掲示医療情報が普通情報表示領域ＡＲに表示されるようになる。緊急情報表示領域ＢＲに表示された掲示医療情報は、特に目立つように、点滅させたり文字を大きくする、赤色文字で表示するなど、領域を区別するのみならず表示形態をも普通の場合と異ならせるとさらに好ましい。
なお、緊急に分類された医療情報がある場合には、別途、音声発生装置１５を用いて、音声によって看護師等の医療従事者の注意を喚起するようにすることもできる。
【００７９】
（実施形態２）
次いで、実施形態２にかかるシステム２００及びサブシステム２１０について、図９〜図１３を参照して説明する。本実施形態２では、ＬＡＮ２０３が、端末装置ＴＡ，ＴＢ、及び掲示装置２６０が接続されたネットワークライン２０４と、端末装置ＴＣ，ＴＤ，ＴＥ，ＴＦ接続されたネットワークライン２０５とを備える。また、ホストコンピュータ１がハブ４及びルータ５を介してＬＡＮ２０３に接続している。サブシステム２１０が、情報選択装置２２０と掲示装置２６０とからなり、情報選択装置２２０は、ハブ４に接続している。これらの点で実施形態２は実施形態１及び変形形態１と異なる。一方、他の部分は実施形態１または変形形態１と同様であるので、異なる部分を中心に説明し、同様な部分は説明を省略あるいは簡略化する。
【００８０】
本実施形態２では、上述したように、ＬＡＮ２０３は、２つのネットワークライン２０４，２０５を有しており、さらに、ホストコンピュータ１はハブ４及びルータ５を介してＬＡＮ２０３に接続している。従って、ＬＡＮ２０３を流れる医療情報を取得するに当たって、情報選択手段をどの部分に接続するかによって、取得できる医療情報に違いが生じる。例えば、情報取得手段をネットワークライン２０４に接続すると、例えば互いにネットワークライン２０５に接続している端末装置ＴＥと端末装置ＴＣとの間で送受信される医療情報を取得して、解析することができない。ところで、一般に医療情報は、端末装置同士でやり取りされるだけでなく、ホストコンピュータ１にも送信される場合が多く、またそのようにシステム２００の各機器をプログラムすることが多いと考えられる。そこで、本実施形態２では、図９に示すように、ホストコンピュータ１とＬＡＮ２０３（ルータ５）との間にハブ４を設け、ハブ４を通ってホストコンピュータ１が受信しあるいはホストコンピュータ１からハブ４を通じて送信する医療情報を、ハブ４を通じて、同時に情報選択装置２２０に取り込むようにしている。
【００８１】
次いで、医療情報掲示サブシステム２１０について説明する。この医療情報掲示サブシステム２１０は、情報選択装置２２０と掲示装置２６０を含む。このうち、情報選択装置２２０は、図１０（１）に示すように、ハブ４を介してＬＡＮ２０３に接続しており、ＣＰＵ２２２のほか、ネットワーク接続アダプタ２２１と、掲示装置のアドレスや医療情報選択基準などが記憶格納された選択医療情報データベース２２３とを備えている。この情報選択装置２２０は、情報選択手段として機能して、ＬＡＮ２０３を流れる医療情報、さらに具体的には、ホストコンピュータ１で送受信される医療情報を監視して、表示装置２４０で掲示させる医療情報を選択する。さらに、情報選択装置２２０は、選択医療情報送信手段としても機能し、選択した医療情報（選択医療情報）を掲示装置２６０（掲示制御手段２３０）に送信する。
【００８２】
掲示装置２６０は、図１０（２）に示すように、実施形態１における掲示装置２６０と同様の構成を有しており、ＣＰＵ２１１のほか、ネットワーク接続アダプタ２１２、掲示医療情報データベース２１３、音声発生装置２１５、入力装置２１６、及び入力者特定装置２１７を備える。さらに、実施形態１の掲示装置６０と同じく、このＣＰＵ２１１には表示装置２４０が接続されている。但し、この掲示装置２６０は、情報選択手段としては機能しない点で異なる。このため、本実施形態２では、掲示医療情報データベース２１３に医療情報選択基準は格納されていない。
この掲示装置２６０では、掲示制御手段２３０として機能するＣＰＵ２１１が情報選択装置２２０からＬＡＮ２０３を通じて送信された選択医療情報を受信し、その中から抽出した掲示医療情報を表示装置２４０に表示させる。
【００８３】
図９を参照すると容易に理解できるように、本実施形態２では、サブシステム２１０を構成する情報選択装置２２０と、掲示制御手段２３０及び表示装置２４０からなる掲示装置２６０とは、別々に配置されているが、それでも、実施形態１と同じく、医療情報掲示サブシステム２１０として機能している。
しかも、本実施形態２のサブシステム２１０では、これらを別々としたので、情報選択装置２１０はＬＡＮ２０３の形態を考慮して、ＬＡＮから医療情報を取得し選択するのに適する位置に配置することができる。一方、掲示装置２６０（掲示制御手段２３０及び表示装置２４０）は、ナースセンターなど掲示医療情報を医療従事者に伝えやすい場所に設置することができる。
【００８４】
次いで、このサブシステム２１０を有するシステム２００における医療情報の流れについて、図１１を参照して説明する。このうち、Ｎ１〜Ｎ３については、実施形態１と同様であるので、説明を省略する。サブシステム２１０のうち、情報選択装置２２０は、Ｎ４−１に示すように、Ｎ２で示すホストコンピュータ１に送信される医療情報を監視し、これが医療情報選択基準に合致していた場合には、この医療情報を取り込み、Ｎ４−２に示すように、掲示制御手段２３０（掲示装置２６０）に向けて選択医療情報を送信する。掲示装置２６０では、実施形態１と同じく、選択医療情報から表示装置２４０での表示パターンＰＴ１に合致する情報を選択して掲示医療情報とし、これを表示パターンＰＴ１に従って表示装置２４０に表示させる。かくして、実施形態１と同じく、ａ看護師の送信したＢ医師宛の医療情報（要望事項）を表示装置２４０で掲示させることができ、Ｂ医師が直接見うる状態となるほか、他の医療従事者による伝達補助が可能となる。
また、このサブシステム２１０でも、どの医療情報を表示装置２４０に掲示させるかの判断を、ホストコンピュータ１に依らず、情報選択装置２２０で自律的に選択している。このため、実施形態１と同じく、このサブシステム２１０をシステム２００に導入する場合にも、ホストコンピュータ１におけるシステムプログラムの改変が不要、あるいはごくわずかで済む。
その後のＮ５、Ｎ６、及びＮ１１〜Ｎ１３における医療情報の流れは、実施形態１と同様であるので、説明を省略する。
【００８５】
次いで、このサブシステム２１０のうち、情報選択装置２２０における医療情報の処理手順を、図１２を参照して説明する。まずステップＳ２０１において、ＬＡＮ２０３を流れる医療情報を、具体的にはホストコンピュータ１で送信又は受信される医療情報をハブ４を介して取得する。
次いで、ステップＳ２０２において、取得した医療情報を解析し、選択医療情報データベース２２３に貯えてある医療情報選択基準を参照して、これに合致するか否かを判断する。具体的には、表示装置２４０で掲示させるのが適切な医療情報であるか否かを判断する。ここで、選択基準に合致しない場合には、取得した医療情報は廃棄する（ステップＳ２０３）。一方、選択基準に合致する場合にはステップＳ２０４に進み、このようにして選択された選択医療情報を掲示制御手段２３０（掲示装置２６０）に向けて送信する。
【００８６】
次いで、このサブシステム２１０のうち、掲示制御手段２３０における医療情報の処理手順を、図１３を参照して説明する。まず、ステップＳ２１１では、情報選択装置２２０から送信された選択医療情報を、ＬＡＮ２０３を経由して取得する。ついで、ステップＳ２１２に進み、送信された選択医療情報を掲示医療情報データベース２１３に記憶する。
ついで、ステップＳ２１３に進み、選択医療情報に付された緊急度を判断する。本実施形態２でも上記した変形形態１と同じく、選択医療情報を普通と緊急の２つのレベルに分ける。ここで、選択医療情報に付されている緊急度に関するデータを解析し、その緊急度を示すデータが緊急を示している場合には、ステップＳ２１４に進む。ステップＳ２１４では、図８に示すように、表示装置の表示画面のうち、緊急情報表示領域ＢＲに医療情報を掲示するのに当たって、必要な情報を選択医療情報から抽出し、ステップＳ２１５に進む。
【００８７】
一方、ステップＳ２１３において、選択医療情報の緊急度が普通であると判断された場合には、ステップＳ２１２に進む。ステップＳ２１２では、普通情報表示領域ＡＲに医療情報を掲示するのに当たって、必要な情報を選択医療情報から抽出し、ステップＳ２１５に進む。
その後は、変形形態１と同じく、ステップＳ２１５〜２１７において、表示パターンＰＴ３に従って、各掲示医療情報を表示装置２４０に表示させる。緊急情報表示領域ＢＲに表示された掲示医療情報は、特に目立つように、点滅させたり文字を大きくする、赤色文字で表示するなど、領域を区別するのみならず表示形態をも普通の場合と異ならせるとさらに好ましい。別途、音声発生装置２１５を用いると良いことも変形形態１と同様である。
【００８８】
上記した実施形態１，２及び変形形態１においては、システム１００，２００において１つのサブシステム１０，２１０を用いた例を示した。このため、用いられる表示装置４０，２４０が１つである場合を示した。
しかしながら、サブシステム１０（掲示装置６０）、あるいはサブシステム２１０（情報選択装置２２０及び掲示装置２６０）は、システム１００，２００に影響を与えず、自律的に医療情報を収集選択し表示装置４０，２４０で掲示していることから容易に判るように、システム１００，２００中に、複数のサブシステム１０，２１０を導入しても良く、このため、システム中に複数の表示装置が設置されても良い。
【００８９】
（実施形態３）
次いで、第３の実施形態について、図１４〜図１８を参照して説明する。上述の実施形態１，２及び変形形態１では、サブシステム１０，２１０中に、情報選択手段２０，２２０、掲示制御手段３０，２３０，及び表示装置４０，２４０をそれぞれ１つだけ備える例を示した。これに対し、本実施形態３は、掲示制御手段及び表示装置を複数備える点で異なる。従って、異なる部分を中心に説明し、同様な部分は説明を省略する。
【００９０】
図１４に示す本実施形態３のシステム３００は、実施形態２において示したシステム２００とほぼ同様であるが、ハブ４に接続している情報選択装置３２０は、第１医療情報選択基準と第２医療情報選択基準の２つを有している点で異なっている。また、ネットワークライン２０４に接続された第１掲示制御手段３３０及び第１表示装置３４０を含む第１掲示装置３６０のほか、ネットワークライン２０５に接続された第２掲示制御手段３３２及び第２表示装置３４２を含む第２掲示装置３６２を備える点で、つまり、２つの掲示装置３６０，３６２を備える点で異なっている。本実施形態３では、サブシステム３１０は、表示選択装置３２０、第１掲示制御手段３３０、第１表示装置３４０、第２掲示制御手段３３２、及び第２表示装置３４２を含んでいる。
【００９１】
そして、本実施形態３では、情報選択装置３２０で、第１医療情報選択基準に従って選択した第１選択医療情報を第１掲示選択手段３３０に向けて送信し、第２医療情報選択基準に従って選択した第２選択医療情報を第２掲示選択手段３３２に向けて送信する。第１掲示選択手段３３０では、第１選択医療情報から抽出した第１掲示医療情報を第１表示装置３４０に表示させる。一方、第２掲示選択手段３３２では、第２選択医療情報から抽出した第２掲示医療情報を第２表示装置３４２に表示させる。これにより、２つの表示装置３４０，３４２にそれぞれ異なる医療情報を表示させることができる。従って、例えば、図１６（１）に示すように、第１表示装置には医師用の医療情報を表示させることとし、これを医師の見やすい場所、例えば医師の控え室に設置する。一方、図１６（２）に示すように、第２表示装置には看護師用の医療情報を表示させることとし、これを看護師の見やすい場所、例えばナースセンターに設置する。このようにすることで、適切な場所にそれぞれ適切な医療情報を掲示することができるようになる。
【００９２】
次いで、このサブシステム３１０を有するシステム３００における医療情報の流れについて、図１５を参照して説明する。このうち、Ｎ１〜Ｎ３については、実施形態１，２と同様であるので、説明を省略する。
サブシステム３１０のうち、情報選択装置３２０は、Ｎ４−１に示すように、Ｎ２で示すホストコンピュータ１に送信される医療情報を監視し、これが第１医療情報選択基準に合致していた場合には、この医療情報を取り込み第１選択医療情報とする。そしてＮ４−２に示すように、第１掲示制御手段３３０（第１掲示装置３６０）に向けて第１選択医療情報を送信する。第１選択医療情報を受信した第１掲示装置２６０では、実施形態２と同じく、第１選択医療情報から第１表示装置３４０での表示パターンＰＴ４に合致する情報を選択して第１掲示医療情報とし、これを表示パターンＰＴ４に従って第１表示装置３４０に表示させる（図１６（１）参照）。かくして、実施形態２と同じく、ａ看護師の送信したＢ医師宛の医療情報（要望事項）を第１表示装置３４０で掲示させることができ、Ｂ医師が直接見うる状態となるほか、他の医療従事者による伝達補助が可能となる。
【００９３】
一方、Ｎ１−２に示すように、ａ看護師が端末装置ＴＥにｃ看護師に対する要望事項を入力し、Ｎ２−２，Ｎ３−２に示すように、ホストコンピュータ１及びｃ看護師の持つ端末装置ＴＤに向けて要望事項（医療情報）を送信した場合を考える。この場合にも、情報選択装置３２０は、Ｎ４−３に示すように、Ｎ２で示すホストコンピュータ１に送信される医療情報を監視する。但し、これが第２医療情報選択基準に合致していた場合には、この医療情報を取り込み第２選択医療情報とする。そしてＮ４−４に示すように、第２掲示制御手段３３２（第２掲示装置３６２）に向けて第２選択医療情報を送信する。この第２選択医療情報を受信した第２掲示装置２６２では、第２選択医療情報から第２表示装置３４２での表示パターンＰＴ５に合致する情報を選択して第２掲示医療情報とし、これを表示パターンＰＴ５に従って第２表示装置３４２に表示させる（図１６（２）参照）。これにより、ａ看護師の送信したｃ看護師の医療情報（要望事項）を第２表示装置３４０で掲示させることができ、ｃ看護師が直接見うる状態となるほか、他の医療従事者による伝達補助が可能となる。
【００９４】
このサブシステム３１０でも、どの医療情報を第１，第２表示装置３４０，３４２に掲示させるかの判断を、ホストコンピュータ１に依らず、情報選択装置３２０で自律的に選択している。このため、実施形態１，２と同じく、このサブシステム３１０をシステム３００に導入する場合にも、ホストコンピュータ１におけるシステムプログラムの改変が不要、あるいはごくわずかで済む。
その後のＮ５、Ｎ６、及びＮ１１〜Ｎ１３における医療情報の流れは、実施形態１，２と同様である、また、Ｎ５−２，Ｎ６−２、Ｎ１４〜Ｎ１６もこれらＮ５，Ｎ６及びＮ１１〜Ｎ１３と同様であるので、説明を省略する。
【００９５】
次いで、このサブシステム３１０のうち、情報選択装置３２０における医療情報の処理手順を、図１７を参照して説明する。まずステップＳ３０１において、ＬＡＮ２０３を流れる医療情報を、具体的にはホストコンピュータ１で送信又は受信される医療情報をハブ４を介して取得する。
次いで、ステップＳ３０２において、取得した医療情報を解析し、情報選択装置３２０の選択医療情報データベース３２３（図１０参照）に貯えてある第１医療情報選択基準及び第２医療情報選択基準を参照して、これらに合致するか否かを判断する。具体的には、第１表示装置３４０または第２表示装置３４２で掲示させるのが適切な医療情報であるか否かを判断する。ここで、２つの選択基準のいずれにも合致しない場合には、取得した医療情報は廃棄する（ステップＳ３０３）。
一方、第１医療情報選択基準にのみ合致する場合にはステップＳ３０４に進み、このようにして選択された第１選択医療情報を第１掲示制御手段３３０（第１掲示装置３６０）に向けて送信する。
他方、第２医療情報選択基準にのみ合致する場合にはステップＳ３０６に進み、このようにして選択された第２選択医療情報を第２掲示制御手段３３２（第２掲示装置３６２）に向けて送信する。
さらに、第１医療情報選択基準及び第２医療情報選択基準のいずれにも合致する場合にはステップＳ３０５に進み、このようにして選択された第１，第２選択医療情報を第１掲示制御手段３３０（第１掲示装置３６０）と第２掲示制御手段３３２（第２掲示装置３６２）とにそれぞれ送信する。かくして、第１医療情報選択基準及び第２医療情報選択基準に従って、医療情報が選択され、第１掲示制御手段に第１選択医療情報が、第２掲示制御手段に第２選択医療情報が送信される。
【００９６】
その後は、第１掲示制御手段３３０において、受信した第１選択医療情報を、実施形態２における掲示制御手段２３０と同様に、図１８に示すフローチャートに従って処理することで、第１表示装置３４０に第１掲示医療情報を掲示させることができる。
また同様に、第２掲示制御手段３３２においても、受信した第２選択医療情報を、図１８に示すフローチャートに従って処理することで、第２表示装置３４２に第２掲示医療情報を掲示させることができる。
【００９７】
このように本実施形態３によれば、複数の表示装置をそれぞれ適宜の場所に配置し、各場所に適した医療情報を掲示させることができる。
なお、上記実施形態３では、第１表示装置３４０に医師用医療情報を表示させ、第２表示装置３４２に看護師用医療情報を表示させるというように、職種別（医師、看護師、薬剤師、その他）の表示装置を割り当てた。しかし、表示装置の数及び表示内容はこれに限定されることはなく、例えば、ａ看護師用表示装置、ｂ看護師用表示装置というように各表示装置を医師や看護師など各医療従事者毎に割り当てることができる。また、看護グループ毎に表示装置を割り当てることもできる。交代勤務を行っている場合には、現在勤務者と後刻勤務する交代勤務者とで、表示装置を区別するようにしても良い。さらに、医療情報の内容に従い、対応する行動が不要な伝達情報と、対応する行動を要求する作業要求情報とで表示装置を区別するようにしても良い。さらに、各病室またはベッド毎に表示装置を設け、その病室にまたはベッドで入院している患者に関する情報を表示させることもできる。
【００９８】
なお、上記実施形態３では、１つの情報選択手段３２０と２つの掲示装置３６０，３６２（掲示制御手段３３０，３３２及び表示装置３４０，３４２）を備え、表示装置３４０と３４２に異なる掲示医療情報を表示させた。
これに代えて、実施形態１，２、変形形態１で用いた掲示制御手段３０，２３０で複数の表示装置を制御させ、実施形態３（図１６参照）と同様に互いに異なる掲示医療情報を表示させることもできる。但し、この場合には、掲示制御手段３０，２３０と複数の表示装置との接続が必要になるため、両者を極端に離して配置することは難しい場合があるなど、両者の配置に制限が生じやすいので、表示装置の配置を考慮して使い分けると良い。
【００９９】
以上において、本発明を実施形態１，２，３及び変形形態１に即して説明したが、本発明は上記実施形態等に限定されるものではなく、その要旨を逸脱しない範囲で、適宜変更して適用できることはいうまでもない。
【図面の簡単な説明】
【図１】実施形態１にかかる医療情報伝達システムの構成を示す説明図である。
【図２】実施形態１にかかる医療情報掲示サブシステムの構成を示す説明図である。
【図３】実施形態１にかかり、端末装置、ホストコンピュータ、及び医療情報掲示サブシステムの間の情報の流れを示す説明図である。
【図４】実施形態１にかかる医療情報掲示サブシステムの処理手順を示すフローチャートである。
【図５】実施形態１にかかる医療情報掲示サブシステムのうち、表示装置の表示例を示す説明図である。
【図６】実施形態１にかかる医療情報掲示サブシステムのうち、表示装置の他の表示例を示す説明図である。
【図７】変形形態１にかかる医療情報掲示サブシステムの処理手順を示すフローチャートである。
【図８】変形形態１にかかる医療情報掲示サブシステムのうち、表示装置の表示例を示す説明図である。
【図９】実施形態２にかかる医療情報伝達システムの構成を示す説明図である。
【図１０】実施形態２，３にかかる医療情報掲示サブシステムのうち、（１）は情報選択装置、（２）は掲示制御手段及び表示装置の構成を示す説明図である。
【図１１】実施形態２にかかり、端末装置、ホストコンピュータ、情報選択装置、及び掲示制御手段の間の情報の流れを示す説明図である。
【図１２】実施形態２にかかり、情報選択装置の処理手順を示すフローチャートである。
【図１３】実施形態２にかかり、掲示制御手段での処理手順を示すフローチャートである。
【図１４】実施形態３にかかる医療情報伝達システムの構成を示す説明図である。
【図１５】実施形態３にかかり、端末装置、ホストコンピュータ、情報選択装置、及び掲示制御手段の間の情報の流れを示す説明図である。
【図１６】実施形態３にかかる医療情報掲示サブシステムのうち、（１）は第１表示装置の表示例を、（２）は第２表示装置の表示例を示す説明図である。
【図１７】実施形態３にかかり、情報選択装置の処理手順を示すフローチャートである。
【図１８】実施形態３にかかり、第１掲示制御手段（及び第２掲示制御手段）での処理手順を示すフローチャートである。
【符号の説明】
１００，２００，３００  医療情報伝達システム
１０，２１０，３１０  医療情報掲示サブシステム
２０  情報選択手段（情報選択手段）
２２０，３２０  情報選択装置（情報選択手段，選択医療情報送信手段）
３０，２３０，３３０，３３２  掲示制御手段（掲示制御手段、掲示連絡情報送信手段）
３３０  第１掲示制御手段
３３２  第２掲示制御手段
４０，２４０，３４０，３４２  表示装置
３４０  第１表示装置
３４２  第２表示装置
６０，２６０，３６０，３６２  掲示装置
３６０  第１掲示装置
３６２  第２掲示装置
１  ホストコンピュータ（主コンピュータ）
２  医療情報データベース
３，２０３，  ローカルエリアネットワーク（ＬＡＮ）
２０４，２０５  ネットワークライン
４  ハブ
５  ルータ
１１，２１１，２２２  ＣＰＵ
１２，２１２，２２１  ネットワーク接続アダプタ
１３，２１３  掲示医療情報データベース
１５，２１５  音声発生装置
１６，２１６  入力装置
１７，２１７  入力者特定装置（操作希望者特定手段、入力者特定手段）
１８，２１８  入力ボード
２２３  選択医療情報データベース
ＴＡ，ＴＢ，ＴＣ，ＴＤ，ＴＥ，ＴＦ，ＴＧ  端末装置
ＴＥ  第１端末装置
ＴＡ  第２端末装置
ＰＴ１，ＰＴ２，ＰＴ３，ＰＴ４  表示パターン
ＡＲ  普通情報表示領域
ＢＲ  緊急情報表示領域
ＲＲ１  点滅表示部分
【図１】
2004280211.tif 000003
【図２】
2004280211.tif 000004
【図３】
2004280211.tif 000005
【図４】
2004280211.tif 000006
【図５】
2004280211.tif 000007
【図６】
2004280211.tif 000008
【図７】
2004280211.tif 000009
【図８】
2004280211.tif 000010
【図９】
2004280211.tif 000011
【図１０】
2004280211.tif 000012
【図１１】
2004280211.tif 000013
【図１２】
2004280211.tif 000014
【図１３】
2004280211.tif 000015
【図１４】
2004280211.tif 000016
【図１５】
2004280211.tif 000017
【図１６】
2004280211.tif 000018
【図１７】
2004280211.tif 000019
【図１８】
2004280211.tif 000020